(57)【特許請求の範囲】
【請求項１】
版胴に備える咥え万力により、版胴外周面に巻回した刷版の一方の端部である第1の端部を保持させるとともに、他方の端部である第2の端部の保持には咥え万力を用いず、
版胴外周面には複数の吸引孔を設け、版胴内エアを吸引することにより刷版を版胴外周面に密着させて取り付け、
前記版胴外周面の複数の吸引孔は、版胴外周の刷版取付面全体に分布させて設け、その分布状態は、前記第1の端部寄りよりも前記第2の端部寄りに、より多くの吸引孔を設けるようにしたことを特徴とする印刷機械のエア吸着式刷版取付装置。
【発明の詳細な説明】
【０００１】
【発明の属する技術分野】
本発明は印刷機械に関し、詳しくは枚葉印刷機械の版胴に刷版をセットする装置に関する。
【０００２】
【従来の技術】
図１に従来の枚葉印刷機械の要部を示す。このような従来の枚葉印刷機械においては、版胴に刷版を取り付けるには、版胴に版万力によって刷版の端部を咥え、張りボルトによって版胴にセットするようにしている。１は版胴、２は咥え万力、３は咥え尻万力、５は刷版、７は張りボルトである。
【０００３】
版胴１の外周に巻回した刷版５の一方の端部を、版胴１の凹部に配置されている咥え万力２によって押さえ込み、他方の端部を咥え尻万力３によって押さえ込む構造である。咥え万力２および咥え尻万力３には張りボルト７がそれぞれ設けられており、二つの張りボルト７を操作回転させて刷版１の位置を調整する。このように従来の枚葉印刷機械の刷版取付装置においては、刷版１を取り付けるには、咥え万力２、咥え尻万力３、二つの張りボルト７を操作して取り付けるようなっている。このように、枚葉印刷機械の刷版取付操作にはかなりの手間がかかる。
【０００４】
【発明が解決しようとする課題】
近年の印刷業界の趨勢として、一つの刷版によって印刷が行われる印刷物の部数が減少し、従って単位時間内の刷版の交換回数が増加する傾向にあり、刷版交換に要する作業時間ロスが問題となっている。また、版材にかかるコストも大きなものであり、この節減の必要性も課題となっている。本発明はこのような従来の問題点を解消した枚葉印刷機械のエア吸着式刷版取付装置を提供することを目的としている。
【０００５】
【課題を解決するための手段】
上記課題は本発明によれば、版胴に備える咥え万力により、版胴外周面に巻回した刷版の一方の端部である第1の端部を保持させるとともに、他方の端部である第2の端部の保持には咥え万力を用いず、版胴外周面には複数の吸引孔を設け、版胴内エアを吸引することにより刷版を版胴外周面に密着させて取り付け、前記版胴外周面の複数の吸引孔は、版胴外周の刷版取付面全体に分布させて設け、その分布状態は、前記第1の端部寄りよりも前記第2の端部寄りに多くの吸引孔を設けるようにしたことで解決される。
【０００６】
【発明の実施の形態】
本発明は枚葉印刷機械の刷版取付装置において、版胴を気密に構成し、外周面に吸引孔を設けた版胴内のエアを吸引することで版胴外周に刷版を取り付けるようにしたものである。
【０００７】
刷版の一方の第1の端部は従来同様、咥え万力を用いて版胴に取り付ける。他方の第2の端部は咥え尻万力を用いず、前記の吸着作用によって取り付ける。
【０００８】
版胴外周に設ける吸引孔は複数形成するが、その分布は刷版を咥え万力を用いて版胴に取り付けた側の第1の端部とは逆の第2の端部寄りだけに設けてもよく、あるいは、版胴に取り付けた側の第1の端部とは逆の第2の端部寄りに多く設け、中間には適度の間隔をおいて設けるようにしてもよい。
【０００９】
本発明においては、刷版の一方の第1の端部は咥え万力を用いて版胴に取り付け、他方の第2の端部は咥え尻万力を用いず、吸着作用によって取り付けるので、版胴に対する刷版の相対位置誤差である見当違いが発生した場合の見当直しのために、ベース板を刷版と版胴間に介在させる。ベース板の一端は刷版の一端を保持する咥え万力を利用して保持し、他端は咥え尻万力によって保持する。このようにすることによって、両万力に備える位置調整手段を操作し、ベース板を移動させ、ベース板に重ねた刷版の見当直しを行うことができる。
【００１０】
このように、刷版を咥え万力のみでセットすることができ、従来必要であった咥え尻万力への刷版の取り付け作業が不要となり、刷版を交換する作業が大幅に効率よく行えるようになる。
【００１１】
また、咥え万力のみの使用で、咥え尻万力を使用しないので、従来の装置よりも刷版の長さが短くなり、従って版材を節減することができ、版材に要するコストを切り下げる効果もある。
【００１２】
【実施例】
図２は本発明における枚葉印刷機械の版胴に刷版を取り付ける要部の説明的な側面図である。図１の従来例と同様の部分には同様の符号を付してある。１は版胴であり、その外周面には版胴１の軸方向に連続させて形成した溝状の凹部１２が設けられ、この凹部１２内に版胴１の外周面に対し刷版５等を取り付ける装置である咥え万力２が配置される。また、咥え万力２と所定角度間隔をおいて、咥え万力２に対向する装置である咥え尻万力３が、凹部１２と同様の凹部１３内に配置されている。４は刷版５の下面と重ねて版胴１に巻回するベース板であり、一方の端部は咥え万力２に保持され、他方の端部は咥え尻万力３によって保持される。保持状態の詳細は後述する。５は前記の刷版であり、前記ベース板４の上面に重ねて取り付け、一方の第1の端部５ａを咥え万力２によって保持する。保持状態の詳細は後述する。他方の第２の端部５ｂは保持せず、後述のエア吸引手段によって版胴１に取り付けられる。
【００１３】
版胴１の外周面には吸引孔６が複数形成される。本実施例では、複数の吸引孔６の分布は、刷版５の一方の第１の端部５ｂ寄りに多く、他方の第２の端部５ａ寄りに少なく設けており、図２で明らかなように複数の吸引孔６のうち、吸引孔６ａ、６ｂは集中して刷版５の一方の第１の端部５ｂ寄りに形成してあり、それに続いて適度の間隔を設けて吸引孔６ｃ、６ｄ、６ｅが順次形成してある。なお、各吸引孔６は図面上では断面１箇所のみを図示してあるが、版胴１の軸方向に向け複数が並んで配置されていると理解されたい。
【００１４】
１ｓは相互に連結する版胴１の内部空洞部であって、複数の吸引孔６はすべてこれに接続されていて、図示しない真空ポンプ等によって空洞部１ｓ内のエアを吸引することで、各吸引孔６を経てエアが吸引される。
【００１５】
図３は咥え万力２と、その周辺を説明する拡大図である。咥え万力２は、万力台２２、フタ２３、支点用ピン２４、取付ボルト２５、作動用ピン２７、スプリング２８からなり、万力台２２を基台として図示しない手段によって版胴１の凹部１２内に取り付けられており、万力台２２には支点用ピン２４を介してフタ２３がシーソー状の回動可に、前記万力台２２とは所定間隔を設けて配置されている。フタ２３の回動は支点用ピン２４の頭部下面の球面２４ａを軸として、フタ２３の上面の凹部の球面２３ａとの間の摺動によって行われる。２７はフタ２３を回動運動させる作動用ピンであり、断面円形の一部を切り欠いてカム面２７ａを備えるカム状とし、カム機能を有するようにしてあり、これを万力台２２の上面に形成した断面が半円形状の凹部２２ａ内で回動させることによって、突出部分がフタ２３の下面に当接し、前記フタ２３が回動運動を行う。２８はフタ２３の下面と万力台２２の上面との間に架装した、フタ２３を常時時計方向へ回動付勢するスプリングである。なお、以上は咥え万力２について記述したが、咥え尻万力３に関する構造も向きが逆なだけで、他は同様であるので、その記述は省略する。
【００１６】
ベース板４はその一端を直角に折り曲げ、取り付け部４ａを形成、この部分を万力台２２の側面に設けたネジ孔に対しスプリング鋼板２９を介して取付ボルト２５により取り付ける。ベース板４の、版胴１を巻回した他端側は、咥え尻万力３によって保持される。
【００１７】
図４及び図５により、咥え万力２により刷版５を保持する構造を説明する。なお、両図においては、複雑化を避けるためベース板４を省略してある。
【００１８】
図４は咥え万力２のフタ２３が閉じて刷版５が咥えられ保持されている状態を、また、図５は保持される前あるいは後の、フタ２３が開いた状態を示す。
【００１９】
図５においては、作動用ピン２７のカム面２７ａは水平状態にあるのでフタ２３はスプリング２８の付勢力により支点用ピン２４を軸として時計方向に回動し、図のようにフタ２３の左端が開いた状態となっている。この状態において刷版５の第１の端部５ａを版胴１面を摺動させて間隙に差込み、作動用ピン２７の所定部位にカンザシ棒３０を差し込んで用いて作動用ピン２７を９０度回転させる。
【００２０】
その結果、図４のように作動用ピン２７のカム面２７ａは垂直状態となりフタ２３はスプリング２８の付勢力に抗して支点用ピン２４を軸として反時計方向に回動し、図のようにフタ２３の左端を閉じ、刷版５の第１の端部５ａを万力台２２の上面との間で挟持して保持する。なお、ベース板４の一端を咥え尻万力３によって保持する手段も以上に記述したものと同様である。
【００２１】
このようにベース板４と刷版５とを版胴１の外周面に取り付け、図示しない真空ポンプ等によって版胴１内の内部空洞部１ｓのエアを抜くことによって刷版５はベース板４とともに版胴1の外周面に吸着されて密着し、確実に取り付けることができる。また、前記したように、版胴１の外周面の複数の吸引孔６は、刷版５がその端部５ａを咥え万力２によって保持されている側である第１の端部５ａ寄りよりも、逆の第２の端部５ｂの、咥え尻万力３で保持されていない端部寄りに多く形成してあるので、確実な保持状態が得られる。
【００２２】
ベース板４と刷版５との版胴１に対する相対位置（見当違いを直す）は、咥え万力２及び咥え尻万力３にそれぞれ備える張りボルト７を操作することによって調整することができる。咥え万力２側を例とすれば、張りボルト７は咥え万力２の万力台２２に設けたネジ孔に螺合するとともに一端を版胴１の凹部１２に係合させてあり、これを回転させる操作により咥え万力２全体が例えば図３の左右いずれかの方向に移動するようになっている。咥え尻万力３についても同様である。
従って、ベース板４と刷版５とを版胴１の外周面に取り付けた後、咥え万力２及び咥え尻万力３にそれぞれ備えるこの張りボルト７を操作することによって、ベース板４とともに刷版５が移動し、見当の直しを行うことができる。
【００２３】
刷版５を交換するには、前記した手順に従って刷版５の取り外しと取り付けとの作業を行えばよく、通常は、ベース板４は交換の必要はない。
【００２４】
なお、前記の実施例では、版胴１の外周面の複数の吸引孔６の分布は、刷版５の一方の第２の端部５ｂ寄りに多く、他方の第１の端部５ａ寄りに少なく設け、図２のように複数の吸引孔６のうち、吸引孔６ａ、６ｂは集中して刷版５の一方の第２の端部５ｂ寄りに形成し、それに続いて適度の間隔を設けて吸引孔６ｃ、６ｄ、６ｅを順次形成するように構成したが、この例に限定されるものではなく、刷版５の一方の端部５ｂ寄りにさらに多くの吸引孔を設けてもよく、また、場合によっては中間の吸引孔をもっと増やしても、あるいは減らしてもよい。
【００２５】
【発明の効果】
以上のように本発明によれば、刷版を咥え万力のみでセットすることができ、従来必要であった咥え尻万力への取り付け作業は不要となり、刷版を交換する作業が従来に比し大幅に効率よく行えるようになる。
【００２６】
また、刷版の取り付けには、咥え万力のみ使用し、咥え尻万力を使用しないので、従来の装置よりも刷版の長さが短くなり、従って版材を節減することができ、版材に要するコストを切り下げる効果がある。
【図面の簡単な説明】
【図１】従来の版胴と刷版取付装置の要部の断面図である。
【図２】本発明の一実施例の版胴と刷版取付装置の要部の断面図である。
【図３】刷版取付装置の要部の拡大図である。
【図４】刷版取付装置の要部の動作拡大図である。
【図５】刷版取付装置の要部の動作拡大図である。
【符号の説明】
１      版胴
１ｓ    内部空洞部
２      咥え万力
３      咥え尻万力
４      ベース板
５      刷版
５ａ    第１の端部
５ｂ    第２の端部
６、６ａ〜６ｅ    吸引孔
７      張りボルト（位置調整手段）
【図１】
0003546956.tif 000002
【図２】
0003546956.tif 000003
【図３】
0003546956.tif 000004
【図４】
0003546956.tif 000005
【図５】
0003546956.tif 000006